(57)【要約】【課題】貯蔵室内左右下部の冷却性能を改善することができる低温ショーケースを提供する。【解決手段】有する断熱壁３の内側に配設された区画板１１と、この区画板１１の内方に形成された貯蔵室１２と、区画板１１と断熱壁３間に形成された冷気通路１３と、この冷気通路１３内背部に固定された蒸発器１８とを備えた低温ショーケース１において、蒸発器１８と区画板１１の背板１１Ａ間に位置して蒸発器１８に固定された蒸発器カバー１９と、背板１１Ａ下部に形成された吹出孔２２と、蒸発器１８上方に位置して冷気の一部を吹出孔２２方向に指向させるための整流板２４と、背板１１Ａと蒸発器カバー１９間に配設され、整流板２４から吹出孔２２に向かう冷気を左右下方に案内する風向板２６、２６を備えた。【選択図】      図２
2004263987.tif 000002
【特許請求の範囲】
【請求項１】
前面に開口を有する断熱壁の内側に間隔を存して配設され、背板及び底板とを有する区画板と、該区画板の内方に形成された貯蔵室と、前記区画板と断熱壁間に形成された冷気通路と、該冷気通路内背部に位置して前記断熱壁に固定された蒸発器と、前記冷気通路の前端上部に形成された冷気吐出口と、前記冷気通路の前端下部に形成された冷気吸込口と有し、前記蒸発器と熱交換した冷気を送風機により前記冷気吐出口から吐出し、前記冷気吸込口から吸い込む低温ショーケースにおいて、
前記蒸発器と前記区画板の背板間に位置して蒸発器に固定された蒸発器カバーと、
前記背板下部に形成された吹出孔と、
前記蒸発器上方に位置して冷気の一部を前記吹出孔方向に指向させるための整流板と、
前記背板と蒸発器カバー間に配設され、前記整流板から前記吹出孔に向かう冷気を左右下方に案内する風向板を備えたことを特徴とする低温ショーケース。
【請求項２】
前記背板の左右下部に形成された吹出孔は、当該背板の左右に渡って形成された吹出孔よりも下方に形成されていることを特徴とする請求項１の低温ショーケース。
【請求項３】
前記底板と前記断熱壁間に設けられ、左右が前記断熱壁に当接した略門型を呈するファンケーシングと、該ファンケーシング内に設けられた送風機とを備え、
前記底板は前記ファンケーシング上面に当接すると共に、当該ファンケーシングの中央部は前記断熱壁に当接していることを特徴とする請求項１又は請求項２の低温ショーケース。
【請求項４】
前記ファンケーシングは、前辺と後辺の寸法が異なることを特徴とする請求項３の低温ショーケース。
【発明の詳細な説明】
【０００１】
【発明の属する技術分野】
本発明は、区画板と断熱壁間に形成された冷気通路内に蒸発器を設け、冷気通路の前端上部に形成した冷気吐出口から蒸発器と熱交換した冷気を送風機により吐出し、冷気通路の前端下部に形成した冷気吸込口から吸い込む低温ショーケースに関するものである。
【０００２】
【従来の技術】
従来この種低温ショーケースは、前面に開口を有する断熱壁の内側に間隔を存して区画板を配設し、この区画板の内方に貯蔵室を形成すると共に、区画板と断熱壁間に冷気通路を形成していた。そして、この冷気通路内には蒸発器を配置して断熱壁に固定すると共に、この蒸発器に蒸発器カバーを取り付け、区画板との間に配置していた。また、前記冷気通路の前端上部に冷気吐出口を、また、前記冷気通路の前端下部には冷気吸込口をそれぞれ形成すると共に、蒸発器と熱交換した冷気を送風機により冷気吐出口から吐出し、冷気吸込口から吸い込むことにより、貯蔵室の開口にエアーカーテンを形成しつつ貯蔵室内を冷却するように構成されていた。
【０００３】
【特許文献１】
特許第２８８３５１７号公報
【０００４】
【発明が解決しようとする課題】
従来の低温ショーケースでは、送風機により吹き上げられた冷気の一部は、蒸発器の上方に形成された整流板に衝突し、該整流板の前下方に指向され、蒸発器カバーと区画板の背板との間に形成された間隔を降下して、区画板の背板に形成された吹出口から貯蔵室の背方より貯蔵室内下部に吹き出されるものであった。しかしながら、背板に形成された吹出口は、左右に渡って均等に形成されていたため、背板と蒸発器カバーとの間を降下した冷気の殆どは、背板に形成された中央の吹出口より貯蔵室内に吹き出されていた。
【０００５】
そのため、区画板の背板の左右下部に形成された吹出孔から吹き出される冷気の量も僅かなものであった。これにより、貯蔵室左右下部には、殆ど冷気が供給されないこととなり、当該貯蔵室内の左右下部は、冷却されにくいという問題があった。そのため、貯蔵室内において温度の相違が生じ、貯蔵室内全体を均一な温度とすることができず、冷却効率が悪いという問題があった。
【０００６】
そこで、本発明は従来の技術的課題を解決するために成されたものであり、貯蔵室内左右下部の冷却性能を改善することができる低温ショーケースを提供することを目的とする。
【０００７】
【課題を解決するための手段】
即ち、請求項１の発明の低温ショーケースは、前面に開口を有する断熱壁の内側に間隔を存して配設され、背板及び底板とを有する区画板と、該区画板の内方に形成された貯蔵室と、区画板と断熱壁間に形成された冷気通路と、該冷気通路内背部に位置して断熱壁に固定された蒸発器と、冷気通路の前端上部に形成された冷気吐出口と、冷気通路の前端下部に形成された冷気吸込口と有し、蒸発器と熱交換した冷気を送風機により冷気吐出口から吐出し、冷気吸込口から吸い込むものであって、蒸発器と区画板の背板間に位置して蒸発器に固定された蒸発器カバーと、背板下部に形成された吹出孔と、蒸発器上方に位置して冷気の一部を吹出孔方向に指向させるための整流板と、背板と蒸発器カバー間に配設され、整流板から吹出孔に向かう冷気を左右下方に案内する風向板を備えたので、整流板にて吹出孔に指向された冷気を風向板により、積極的に左右下方に案内することができるようになる。
【０００８】
これにより、比較的、冷気が指向されない貯蔵室下部の左右に、積極的に冷気を案内することができ、貯蔵室内左右下部の冷却性能を顕著に向上させることができるようになる。
【０００９】
請求項２の発明の低温ショーケースは、上記において、背板の左右下部に形成された吹出孔は、当該背板の左右に渡って形成された吹出孔よりも下方に形成されているので、一層、積極的に、比較的冷気が供給されにくい貯蔵室左右下部に冷気を供給することができるようになり、より一層貯蔵室内左右下部の冷却性能の向上を図ることができるようになる。
【００１０】
請求項３の発明の低温ショーケースは、上記各発明において、底板と断熱壁間に設けられ、左右が前記断熱壁に当接した略門型を呈するファンケーシングと、該ファンケーシング内に設けられた送風機とを備え、底板はファンケーシング上面に当接すると共に、当該ファンケーシングの中央部は断熱壁に当接しているので、両側部及び中央部にて断熱壁に当接することにより、安定して断熱壁に設けられたファンケーシングにより、底板を保持することができるようになる。
【００１１】
これにより、底板上面に物品を載置した場合であっても、安定して底板を保持することができるようになる。
【００１２】
請求項４の発明の低温ショーケースは、上記発明において、ファンケーシングは、前辺と後辺の寸法が異なるため、両側辺が平行とされないこととなり、当該ファンケーシング自体の強度を向上させることができ、安定して底板を保持することができるようになる。
【００１３】
【発明の実施の形態】
以下、図面に基づき本発明の実施例を詳述する。図１は本発明の低温ショーケース１の正面図、図２は低温ショーケース１の棚１６及び区画板１１の背板１１Ａを取り除いた状態の正面図、図３は低温ショーケース１の部分拡大断面図、図４は低温ショーケース１の底板１４を取り外した状態の部分拡大斜視図、図５は低温ショーケース１の底板１４を取り外した状態の下部拡大斜視図をそれぞれ示している。
【００１４】
低温ショーケース１は前方に開口２を有する断面略コ字状の断熱壁３と、この断熱壁３の両側に取り付けられた断熱側板４、４とから構成されており、断熱壁３の下方には図示しない冷却装置の周知の冷凍サイクルを構成する圧縮機、凝縮器及び凝縮器用送風機を設置する機械室が構成されている。
【００１５】
前記断熱壁３の内側には、背板１１Ａ、天板１１Ｂ及び底板１４から成る区画板１１が、断熱壁３内面と所定の間隔を存して取り付けられ、この区画板１１の内方を貯蔵室１２としており、この貯蔵室１２内には複数段の棚１６・・が架設されている。これら区画板１１と前記断熱壁３間に一連の冷気通路１３を構成している。
【００１６】
この冷気通路１３内背部には、背板１１Ａの下部後方に位置して前記冷却装置の冷凍サイクルを構成するプレートフィンタイプの蒸発器１８が配置されており、蒸発器１８は断熱壁３の背壁３Ａに固定されている。この蒸発器１８と背板１１Ａの間には、蒸発器１８の両側管板間に渡る蒸発器カバー１９が挿入されて前記蒸発器１８の管板に固定されている。
【００１７】
この蒸発器カバー１９は背板１１Ａとの間に間隔Ｇを形成しており、前記間隔Ｇの上端は開放され、下端は閉塞されている。また、この間隔Ｇに対応する位置の背板１１Ａには、前記棚１６の上下に位置して左右に渡って複数の吹出孔２２が形成されている。特に、本実施例では、最下段を構成する棚１６の下側に位置して左右に渡って吹出孔２２が形成されていると共に、この吹出孔２２の下方には、更に、底板１４の上方であって、背板１１Ａの左右下部に位置してそれぞれ吹出孔２３、２３が穿設されている。
【００１８】
一方、蒸発器カバー１９の上方には図２及び図３に示す如く整流板２４が蒸発器カバー１９の略全幅に渡って取り付けられている。この整流板２４は、複数の冷気通気孔２５が穿設されている。また、蒸発器カバー１９の前面には、背板１１Ａの後面との間に位置して、風向板２６、２６が取り付けられる。この風向板２６、２６は、図２に示す如く長手に形成された板状部材により構成されており、これらは蒸発器カバー１９の前面中央において、上端が所定間隔を存して取り付けられると共に、下方に向けて拡開したかたち、即ち、略ハの字となるように取り付けられている。尚、図４、図５は当該風向板２６、２６を透視した状態を示している。
【００１９】
一方、係る冷気通路１３の前端上部は断熱壁３の開口２上縁に位置しており、そこには冷気吐出口３１が形成され、冷気通路１３の前端下部は開口２の下縁に位置してそこには冷気吸込口３２が形成されている。
【００２０】
そして、前記底板１４と底壁を構成する断熱壁３との間に形成される冷気通路１３内には、送風機３３、３３が配設されている。これら送風機３３、３３は、それぞれ下方に開口した断面略コ字状のファンケーシング４０に取り付けられる。このファンケーシング４０は、図５に示す如く隣り合う側辺４０Ａ、４０Ａが平行に形成されていると共に、上面から見て前辺４０Ｂと後辺４０Ｃの寸法が異なるように形成されている。即ち、ファンケーシング４０は、上面から見て隣り合う辺４０Ａ、４０Ａが平行に形成されていると共に、外方を構成する辺４０Ｄ、４０Ｄは、後方から前方に向かって少許傾斜して形成されている。これにより、上方からの荷重に対して、強度を向上させることができるようになる。
【００２１】
また、このファンケーシング４０は、両側端が外方に折曲したフランジ４１を形成すると共に、隣り合うファンケーシング４０のフランジ４１、４１は、重合した状態で断熱壁３にネジ４２、４２により固定される。外方に位置するファンケーシング４０、４０のフランジ４１、４１も断熱壁３にネジ４３、４３により固定される。これにより、冷気通路１３内に設けられるファンケーシングは、二台で、左右側辺４０Ｄ、４０Ｄが断熱壁３に当接した略門型を形成すると共に、これらの中央部を構成する側辺４０Ａ、４０Ａは、断熱壁３に当接した形状を呈する。尚、このファンケーシング４０、４０は、前方に開口していると共に、外方に位置する側辺４０Ｄ、４０Ｄ側の側面に複数の吸込口４４が形成されている。そのため、送風機３３が運転されると、ファンケーシング４０、４０の前面開口及び外方に位置する吸込口４４、４４から冷気を吸い込むことができる。
【００２２】
上述の如く構成されたファンケーシング４０、４０の上面に前記底板１４が載置される。これにより、二台のファンケーシング４０、４０によって形成される左右側辺４０Ｄ、４０Ｄが断熱壁３に当接した略門型を呈すると共に、中央部を構成する側辺４０Ａ、４０Ａが断熱壁３に当接していることから、安定して断熱壁３に固定されたファンケーシング４０、４０上面に底板１４を当接させることができ、安定して底板１４を保持することができるようになる。これにより、底板１４上面に物品を載置した場合であっても、安定して底板１４を保持することができるようになる。
【００２３】
特に、ファンケーシング４０、４０は、それぞれ前辺と後辺の寸法が異なるように形成されていることから、ファンケーシング４０自体の強度を向上させることができ、より一層安定して底板１４を保持することができるようになる。
【００２４】
尚、このファンケーシング４０の下方には、送風機３３、３３を介して前記冷気通路１３に連通されている。また、図５において、４５は、図示しない冷媒配管を挿通させるための配管口であり、４６は、排水口であり、これらは、ファンケーシング４０、４０にて被覆されない位置に形成される。そのため、底板１４が取り外された状態で、配管口４５及び排水口４６は、容易に掃除やメンテナンスを行うことが可能となる。
【００２５】
以上の構成により、前記圧縮機及び凝縮器用送風機が運転されると、蒸発器１８は、冷却作用を発揮して冷気通路１３内の空気を冷却する。このとき、冷気通路１３内に設けられた送風機３３が運転されることにより、蒸発器１８と熱交換した冷気は、送風機３３により冷気通路１３内を上方に吹き上げられる。ここで、蒸発器１８上方には、整流板２４が設けられているため、一部の冷気は、該整流板２４に冷気通気孔２５を通過して冷気通路１３内上方に吹き上げられ、冷気吐出口３１から開口２に吐出される。
【００２６】
この冷気吐出口３１から吐出された冷気は冷気吸込口３２に向かって流れ、開口２にエアーカーテンを形成すると共に、一部は貯蔵室１２内方に引き込まれてそこを冷却する。一方、送風機３３により吹き上げられた冷気の一部は整流板２４に衝突し、蒸発器カバー１９と背板１１Ａとの間に形成された間隔Ｇ内に流入して下方に向かい、区画板１１の背板１１Ａの吹出孔２２から貯蔵室１２の背方より貯蔵室１２内下部に吹き出される。
【００２７】
このとき、蒸発器カバー１９の前面中央には、上述した如く背板１１Ａとの間において、上端が所定間隔を存して取り付けられると共に、下方に向けて拡開した風向板２６、２６が設けられていることから、背板１１Ａの中央下部に形成される吹出孔２２よりも背板１１Ａ左右下部に形成される吹出孔２２に向けて積極的に冷気を案内することができるようになる。
【００２８】
従って、間隔Ｇ内に案内された冷気は、貯蔵室１２内左右下部に積極的に吐出されることとなり、比較的温度が上がり勝ちな貯蔵室１２内左右下部の冷却性能を顕著に向上させることができるようになる。
【００２９】
また、本実施例では、背板１１Ａの中央下部に形成される吹出孔２２よりも下方にまで左右下部に吹出孔２３が形成されていることから、一層、積極的に、比較的冷気が供給されにくい貯蔵室１２左右下部に冷気を供給することができるようになり、更なる貯蔵室１２内左右下部の冷却性能の向上を図ることができるようになる。
【００３０】
【発明の効果】
以上詳述した如く請求項１の発明によれば、前面に開口を有する断熱壁の内側に間隔を存して配設され、背板及び底板とを有する区画板と、該区画板の内方に形成された貯蔵室と、区画板と断熱壁間に形成された冷気通路と、該冷気通路内背部に位置して断熱壁に固定された蒸発器と、冷気通路の前端上部に形成された冷気吐出口と、冷気通路の前端下部に形成された冷気吸込口と有し、蒸発器と熱交換した冷気を送風機により冷気吐出口から吐出し、冷気吸込口から吸い込むものであって、蒸発器と区画板の背板間に位置して蒸発器に固定された蒸発器カバーと、背板下部に形成された吹出孔と、蒸発器上方に位置して冷気の一部を吹出孔方向に指向させるための整流板と、背板と蒸発器カバー間に配設され、整流板から吹出孔に向かう冷気を左右下方に案内する風向板を備えたので、整流板にて吹出孔に指向された冷気を風向板により、積極的に左右下方に案内することができるようになる。
【００３１】
これにより、比較的、冷気が指向されない貯蔵室下部の左右に、積極的に冷気を案内することができ、貯蔵室内左右下部の冷却性能を顕著に向上させることができるようになる。
【００３２】
請求項２の発明の発明によれば、上記において、背板の左右下部に形成された吹出孔は、当該背板の左右に渡って形成された吹出孔よりも下方に形成されているので、一層、積極的に、比較的冷気が供給されにくい貯蔵室左右下部に冷気を供給することができるようになり、より一層貯蔵室内左右下部の冷却性能の向上を図ることができるようになる。
【００３３】
請求項３の発明の発明によれば、上記各発明において、底板と断熱壁間に設けられ、左右が前記断熱壁に当接した略門型を呈するファンケーシングと、該ファンケーシング内に設けられた送風機とを備え、底板はファンケーシング上面に当接すると共に、当該ファンケーシングの中央部は断熱壁に当接しているので、両側部及び中央部にて断熱壁に当接することにより、安定して断熱壁に設けられたファンケーシングにより、底板を保持することができるようになる。
【００３４】
これにより、底板上面に物品を載置した場合であっても、安定して底板を保持することができるようになる。
【００３５】
請求項４の発明によれば、上記発明において、ファンケーシングは、前辺と後辺の寸法が異なるため、両側辺が平行とされないこととなり、当該ファンケーシング自体の強度を向上させることができ、安定して底板を保持することができるようになる。
【図面の簡単な説明】
【図１】本発明の低温ショーケースの正面図である。
【図２】低温ショーケースの棚及び区画板の背板を取り除いた状態の正面図である。
【図３】低温ショーケースの部分拡大断面図である。
【図４】低温ショーケースの底板を取り外した状態の部分拡大斜視図である。
【図５】低温ショーケースの底板を取り外した状態の下部拡大斜視図である。
【符号の説明】
１  低温ショーケース
２  開口
３  断熱壁
１１  区画板
１１Ａ  背板
１２  貯蔵室
１３  冷気通路
１４  底板
１８  蒸発器
１９  蒸発器カバー
２２、２３  吹出孔
２４  整流板
２５  冷気通気孔
２６  風向板
３１  冷気吐出口
３２  冷気吸込口
３３  送風機
４０  ファンケーシング
Ｇ  間隔
【図１】
2004263987.tif 000003
【図２】
2004263987.tif 000004
【図３】
2004263987.tif 000005
【図４】
2004263987.tif 000006
【図５】
2004263987.tif 000007